(57)【要約】【課題】壁掛け式の小便器装置において、小便器本体のデザインの自由度を確保しつつ、施工性およびメンテナンス性を良好にした小便器装置を提供することを目的とする。【解決手段】小便器装置１は、ボウル部１１の下方に位置するユニット収容部１２に制御ユニット３１やバルブユニット３２が収納され、小便器本体１０のホース収納部１５内における給水ホース２１の可動範囲を規制する規制部６３を有する。【選択図】図５
2018100573.tif 000002
【特許請求の範囲】
【請求項１】
壁面に設置される壁掛け式の小便器装置であって、
外部に露出するボウル部と、前記ボウル部の下方に位置するユニット収容部と、前記ユニット収容部の側方を覆う側壁部と、を有する小便器本体と、
前記ボウル部内に洗浄水を吐水する吐水装置と、
前記ユニット収容部に収容され、前記吐水装置への洗浄水の供給及び供給停止のために作動するバルブユニットと、
給水管接続部と前記バルブユニットとを接続する給水ホースと、
前記小便器本体の背面部において後方へ向けて開口して前記給水ホースを収納するホース収納部と、
を備えており、
前記ホース収納部内における前記給水ホースの可動範囲を規制する規制部を有する小便器装置。
【請求項２】
前記規制部を有し、前記小便器本体とは別体であって前記小便器本体に対して固定される中継部材を備えた請求項１に記載の小便器装置。
【請求項３】
前記小便器本体は、前記中継部材の一部が載置される載置面を有する請求項２に記載の小便器装置。
【請求項４】
前記吐水装置と前記バルブユニットとを接続する洗浄ホースと、前記洗浄ホースの途中経路の一部を保持する保持部と、を備えた請求項１乃至３のいずれか１項に記載の小便器装置。
【発明の詳細な説明】
【技術分野】
【０００１】
本発明は、壁面に設置される壁掛け式の小便器装置に関する。
【背景技術】
【０００２】
壁面に設置される壁掛け式の小便器装置であって、外部に露出するボウル部と、このボウル部内に洗浄水を吐水する吐水装置と、を有する小便器本体を備えた小便器装置は、従来からよく使用されている。
【０００３】
このような従来の小便器装置において、小便器本体のボウル部の上部に収納室を形成し、この収納室に吐水装置への洗浄水の供給及び供給停止のために作動するバルブユニットやこのバルブユニットの作動を制御する制御ユニット等の機能部品を収納したものが知られている（特許文献１）。また、こういった小便器装置には、収納室の上方を着脱可能に覆い、取り外すことにより収納室に収納された機能部品をメンテナンスすることができる蓋が設けられている。
【０００４】
しかし、上述した特許文献１のような小便器装置は、小便器本体の上部に収納室を形成することで小便器本体が大型化してしまうとともに、収納室の上方にメンテナンスするための蓋が設けられることで見栄えが悪くなってしまう。
【０００５】
一方、特許文献２のように、ボウル部の下方に機能部品を配置したものがある。このような構成の小便器装置は、特許文献１のように便器本体の上部にメンテナンス用の蓋を設ける必要がなく、且つ小便器全体を小型化することができるため、小便器本体のデザインの自由度を確保することができる。
【先行技術文献】
【特許文献】
【０００６】
【特許文献１】特開平１１−３４３６５５号公報
【特許文献２】ＵＳ２０１５／２９９９９６Ａ１
【発明の概要】
【発明が解決しようとする課題】
【０００７】
特許文献２のような小便器装置においては、機能部品等のメンテナンスのために小便器本体の壁面からの取り外し機会が増えることが考えられるため、壁面に対する小便器本体の着脱作業が容易に行なえることが好ましい。つまり、壁面に対する小便器本体の施工性およびメンテナンス性を良好に保つことが好ましい。
壁面に設けられた給水管接続部と小便器本体のバルブユニットとを接続する給水ホースを比較的長くすることで、小便器本体の壁面からの取り外しが容易に行なえるようになるが、小便器本体を壁面に設置するときに給水ホースの取り回しが難しくなり、壁面に対する小便器本体の設置作業が難しくなってしまう。
【０００８】
本発明は、上述した問題を解決するためになされたものであり、壁掛け式の小便器装置において、小便器本体のデザインの自由度を確保しつつ、施工性およびメンテナンス性を良好にした小便器装置を提供することを目的とする。
【課題を解決するための手段】
【０００９】
本発明の一態様に関わる小便器装置は、壁面に設置される壁掛け式の小便器装置であって、外部に露出するボウル部と、前記ボウル部の下方に位置するユニット収容部と、前記ユニット収容部の側方を覆う側壁部と、を有する小便器本体と、前記ボウル部内に洗浄水を吐水する吐水装置と、前記ユニット収容部に収容され、前記吐水装置への洗浄水の供給及び供給停止のために作動するバルブユニットと、給水管接続部と前記バルブユニットとを接続する給水ホースと、前記小便器本体の背面部において後方へ向けて開口して前記給水ホースを収納するホース収納部と、を備えており、前記ホース収納部内における前記給水ホースの可動範囲を規制する規制部を有する。
【００１０】
この構成によれば、ボウル部の下方に位置するユニット収容部にバルブユニットが収容されることで、小便器本体の上部にメンテナンス用の蓋を設ける必要がないため、小便器本体のデザインの自由度を確保することができる。
さらに、小便器本体の壁面からの取り外しが容易となるように給水ホースを比較的長くしたとしても、小便器本体のホース収納部内における給水ホースの可動範囲を規制する規制部を有しているため、規制部によって給水ホースのホース収納部内における取り回しを規定した後に小便器本体を壁面へ設置することができ、壁面に対する小便器本体の設置作業が容易に行なえる。
したがって、本発明の小便器装置は、小便器本体のデザインの自由度を確保しつつ、施工性およびメンテナンス性を良好にすることができる。
【００１１】
本発明の一態様に係る小便器装置において、好ましくは、前記規制部を有し、前記小便器本体とは別体であって前記小便器本体に対して固定される中継部材を備えている。
【００１２】
この構成によれば、小便器本体とは別体の中継部材に規制部を設け、この中継部材を小便器本体に固定する。これにより、容易な方法で小便器本体のデザインの自由度を確保しつつ、施工性およびメンテナンス性を良好にすることができる。
【００１３】
本発明の一態様に係る小便器装置において、好ましくは、前記小便器本体は、前記中継部材の一部が載置される載置面を有する。
【００１４】
この構成によれば、中継部材は、一部が小便器本体の載置面に載置されているため、小便器本体に対する中継部材のネジ固定等の固定箇所が少なくても、しっかりと小便器本体へ固定することができる。
【００１５】
本発明の一態様に係る小便器装置において、好ましくは、前記吐水装置と前記バルブユニットとを接続する洗浄ホースと、前記洗浄ホースの途中経路の一部を保持する保持部と、を備えている。
【００１６】
この構成によれば、洗浄ホースの途中経路の一部が保持部によって保持されているため、洗浄ホースが小便器本体から簡単に外れることを抑制し、施工性およびメンテナンス性を良好にすることができる。
【発明の効果】
【００１７】
本発明によれば、壁掛け式の小便器装置において、小便器本体のデザインの自由度を確保しつつ、施工性およびメンテナンス性を良好にすることができる。
【図面の簡単な説明】
【００１８】
【図１】本発明の一実施形態に係る小便器装置の斜視図である。
【図２】図１の小便器本体の前面側壁を一部切り欠いて示した正面図である。
【図３】図１，２の小便器本体の内部の斜視図である。
【図４】本発明の一実施形態に係る小便器本体を背面から見た斜視図である。
【図５】本発明の一実施形態に係る小便器本体を背面から見た平面視図である。
【図６】本発明の一実施形態に係る中継部材の斜視図である。
【図７】本発明の一実施形態に係る小便器本体を壁面へ設置する前の状態を示した図である。
【図８】本発明の一実施形態に係る小便器本体を壁面へ設置した後の状態を示した図である。
【発明を実施するための形態】
【００１９】
以下、本発明の実施の形態について添付図面を参照しながら説明する。なお、各図面中、同様の構成要素には同一の符号を付して詳細な説明は適宜省略する。
【００２０】
＜小便器装置の構成＞
まず、図１〜５を参照して、本発明の実施形態に係る小便器装置について説明する。図１は、本発明の一実施形態に係る小便器装置の斜視図である。図２は、図１の小便器本体の前面側壁を一部切り欠いて示した正面図である。図３は、図１，２の小便器本体の内部の斜視図である。図４は、本発明の一実施形態に係る小便器本体を背面から見た斜視図である。図５は、本発明の一実施形態に係る小便器本体を背面から見た平面視図である。
【００２１】
図１〜５に示すように、本実施形態の小便器装置１は、壁面Ｗに設置される壁掛け式の小便器装置であって、外部に露出するボウル部１１と、当該ボウル部１１の下方に位置するユニット収容部１２と、ユニット収容部１２の側方を覆う側壁部１３と、を有する小便器本体１０を備えている。ボウル部１１には、当該ボウル部１１内に洗浄水を吐水する吐水装置１４が設けられている。本実施形態の側壁部１３は、ユニット収容部１２の側方を完全に覆っているので、美観に優れる（デザイン性が高い）。
【００２２】
ユニット収容部１２には、吐水装置１４への洗浄水の供給及び供給停止のために作動するバルブユニット３２と、当該バルブユニット３２の作動を制御するためにバルブユニット３２と電気的に接続された制御ユニット３１と、除菌水供給ホース３４を介して除菌水をボウル部１１内に供給する除菌水供給ユニット３３と、が収容されている。
【００２３】
吐水装置１４には、使用者を検知する人体検知センサ１４ａが内蔵されており、人体検知センサ１４ａの検知に応じて吐水装置１４から洗浄水を吐水させる。
【００２４】
図３〜５に示すように、バルブユニット３２は、一次側においては、壁面Ｗに設けられたＬ字型の給水管接続部５０に一端が接続された樹脂性の給水ホース２１と接続されており、二次側においては、吐水装置１４に一端が接続された樹脂性の洗浄ホース２２と接続されている。つまり、給水ホース２１は、一端が給水管接続部５０に接続され、他端がバルブユニット３２に接続されている。洗浄ホース２２は、一端が吐水装置１４に接続され、他端がバルブユニット３２に接続されている。
ボウル部１１の洗浄が行なわれる際は、給水管接続部５０から給水ホース２１を通してバルブユニット３２へ供給された洗浄水を、バルブユニット３２から洗浄ホース２２を通して吐水装置１４へ供給し、吐水装置１４からボウル部１１内に洗浄水が吐水される。
【００２５】
小便器本体１０の内部には、背面部において後方へ向けて開口したホース収納部１５が形成されている。このホース収納部１５は、ユニット収容部１２と連通しており、小便器本体１０が壁面Ｗに設置されている状態においては、給水ホース２１と給水管接続部５０がホース収納部１５内に収納されている。また、ホース収納部１５内には、小便器本体１０とは別体の部材である中継部材６０が固定されている。
【００２６】
＜中継部材の構成＞
次に、図４〜６を参照して、本発明の実施形態に係る中継部材について説明する。図６は、本発明の一実施形態に係る中継部材の斜視図である。
【００２７】
図４〜６に示すように、中継部材６０は、上下方向に延びる垂下部６０ａと、垂下部６０ａの上端部から水平方向に延びる鍔部６０ｂと、によって側面視で略Ｌ字形状に形成されている。
垂下部６０ａには、当該中継部材６０を小便器本体１０の取付穴１５ｂに対してネジ締結するためのネジ穴６１と、ホース収納部１５内における給水ホース２１の可動範囲を規制する規制部６３と、洗浄ホース２２の一部を保持するための第１保持部６４と、除菌水供給ホース３４の一部を保持するための第２保持部６５と、が設けられている。また、垂下部６０ａは、一部湾曲状に凹んだ凹部６６を有する形状となっている。
小便器本体１０のホース収納部１５内には、水平方向に延びる載置面１５ａが形成されている。中継部材６０は、鍔部６０ｂを載置面１５ａ上に載置させた状態で、垂下部６０ａのネジ穴６１と小便器本体１０の取付穴１５ｂとを１箇所ネジ締結することで、小便器本体１０のホース収納部１５内に固定される。
【００２８】
規制部６３は、垂下部６０ａの外側を一部囲むように形成されている。小便器本体１０が壁面Ｗに設置される際、中継部材６０の規制部６３内に給水ホース２１が挿通されることで、給水ホース２１の規制部６３に囲まれた部分は可動範囲が規制されて規制部６３内から飛び出ないようになっている。
【００２９】
第１保持部６４は、中継部材６０が小便器本体１０に固定されている状態において、洗浄ホース２２が嵌め込まれることで洗浄ホース２２の側面の一部を保持することができる。また、第２保持部６５は、中継部材６０が小便器本体１０に固定されている状態において、除菌水供給ホース３４が嵌め込まれることで除菌水供給ホース３４の側面の一部を保持することができる。
【００３０】
制御ユニット３１は、吐水装置１４に内蔵された人体検知センサ１４ａと電気的に接続されている。具体的には、人体検知センサ１４ａから伸びるセンサ側ハーネス１４ｂと、制御ユニット３１から伸びる制御側ハーネス３１ａとが、コネクタ８０によって接続されている。
そして、中継部材６０の鍔部６０ｂ上面には、このコネクタ８０を収納するためのコネクタ収納部６８と、コネクタ収納部６８を上面から覆うことが可能なカバー部６９と、が設けられている。これにより、コネクタ８０をコネクタ収納部６８内に収納することにより、ホース収納部１５内におけるコネクタ８０の位置決めができる。また、コネクタ収納部６８内に収納したコネクタ８０をカバー部６９で覆うことにより、コネクタ８０への被水を防止することができる。
【００３１】
中継部材６０は、規制部６３内の一部を囲む区分部６２を有する。この区分部６２内には、制御側ハーネス３１ａが挿通されることで、制御側ハーネス３１ａの可動範囲を規制することができる。また、規制部６３内のうち、給水ホース２１の可動範囲と制御側ハーネス３１ａの可動範囲が区分部６２によって区分けされているため、給水ホース２１と制御側ハーネス３１ａとが互いに干渉することを防ぐことができる。
【００３２】
＜小便器本体の壁面への設置方法＞
次に、図７，８を参照して、本発明の実施形態に係る小便器本体の壁面への設置方法について説明する。図７は、本発明の一実施形態に係る小便器本体を壁面へ設置する前の状態を示した図である。図８は、本発明の一実施形態に係る小便器本体を壁面へ設置した後の状態を示した図である。
【００３３】
まず、小便器本体１０が壁面Ｗへ設置される前の状態について説明する。図７に示すように、壁面Ｗに、給水管入口（図示せず）に接続されたＬ型の給水管接続部５０と、排水管入口（図示せず）に接続された排水ソケット３と、小便器本体１０を壁面Ｗに装着するためのハンガー部５と、を固定する。
【００３４】
小便器本体１０のホース収納部１５内に、中継部材６０を固定する。そして、一端がバルブユニット３２に接続された給水ホース２１の他端を、中継部材６０の規制部６３内に挿通させたうえで給水管接続部５０に接続する。
なお、図７に示すように、給水ホース２１は、バルブユニット３２と給水管接続部５０を接続した状態で小便器本体１０を床に載置したとしても給水ホース２１がキンクしないよう長めに設計されている。こうすることで、メンテナンスを行なうために小便器本体１０を壁面Ｗから取り外したときに、給水ホース２１を外さずに小便器本体１０を床に載置することができ、メンテナンスを容易に行なうことができる。
【００３５】
また、図４，５のように、吐水装置１４とバルブユニット３２とを接続する洗浄ホース２２の途中経路の一部を、中継部材６０の第１保持部６４に嵌め込み、吐水装置１４と除菌水供給ユニット３３とを接続する除菌水供給ホース３４の途中経路の一部を、中継部材６０の第２保持部６５に嵌め込む。
【００３６】
さらに、図５のように、吐水装置１４に内蔵された人体検知センサ１４ａのセンサ側ハーネス１４ｂと制御ユニット３１の制御側ハーネス３１ａとをコネクタ８０によって接続し、このコネクタ８０を中継部材６０のコネクタ収納部６８内に収納したうえで、コネクタ収納部６８をカバー部６９で覆う。
【００３７】
次に、小便器本体１０を壁面Ｗへ設置するときについて説明する。施工者は、上述したような壁面Ｗへ設置される前の状態の小便器本体１０を持ち上げて、壁面Ｗに固定されたハンガー部５に小便器本体１０のホース収納部１５の上端部１５ｃを引っ掛けつつ、壁面Ｗに固定された排水ソケット３の入口に小便器本体１０の背面に形成された排水口１７を挿入する施工を行なう。このとき、中継部材６０の規制部６３によって給水ホース２１の可動範囲が規制されるため、施工の途中でホース収納部１５内に収納される給水ホース２１が、小便器本体１０の排水口１７と排水ソケット３との間や、小便器本体１０と壁面Ｗとの間に挟まることが抑制され、小便器本体１０を壁面Ｗへスムーズに設置することができる。これにより、図８に示すように、壁面Ｗに対する小便器本体１０の設置が完了する。
【００３８】
小便器本体１０が壁面Ｗに設置された状態におけるホース収納部１５内での給水ホース２１の取り回しとしては、給水ホース２１が長めに設計されているため、ホース収納部１５内の全周に亘って収納されている。また、給水管接続部５０は壁面Ｗよりも前方へ突出しているが、中継部材６０の凹部６６により、給水管接続部５０および給水管接続部５０に接続された給水ホース２１一部のホース収納部１５内への収納スペースを確保することができる。なお、中継部材６０の凹部６６は、給水管接続部５０の製造誤差も考慮して、少し大きめに凹ませている。
【００３９】
＜作用効果＞
次に、本実施形態における小便器装置の作用効果を説明する。
【００４０】
本実施形態において、小便器装置１は、ボウル部１１の下方に位置するユニット収容部１２に制御ユニット３１やバルブユニット３２が収納され、小便器本体１０のホース収納部１５内における給水ホース２１の可動範囲を規制する規制部６３を有する。これにより、小便器本体１０を壁面Ｗに設置するときに規制部６３によって給水ホース２１の可動範囲が規制されるため、施工の途中でホース収納部１５内に収納される給水ホース２１が、小便器本体１０の排水口１７と排水ソケット３との間や、小便器本体１０と壁面Ｗとの間に挟まることが抑制され、小便器本体１０を壁面Ｗへスムーズに設置することができる。したがって、小便器本体１０のデザインの自由度を確保しつつ、施工性およびメンテナンス性を良好にすることができる。
【００４１】
また、本実施形態において、小便器本体１０のホース収納部１５内における給水ホース２１の可動範囲を規制する規制部６３は、小便器本体１０とは別体の部材である中継部材６０に設けられ、この中継部材６０は小便器本体１０に固定される。これにより、容易な方法で規制部６３を設けることができる。
【００４２】
また、本実施形態において、小便器本体１０のホース収納部１５内には、中継部材６０の鍔部６０ｂが載置される載置面１５ａが形成されている。これにより、小便器本体１０に対して中継部材６０を安定させることができるため、中継部材６０と小便器本体１０とをネジ等で固定する箇所が少なくてすむ。
【００４３】
また、本実施形態において、吐水装置１４とバルブユニット３２とを接続する洗浄ホース２２は、途中経路の一部が中継部材６０の第１保持部６４に嵌め込まれることで保持されている。これにより、洗浄ホース２２が小便器本体１０から簡単に外れることを抑制することができるため、施工性およびメンテナンス性を良好にすることができる。
【００４４】
以上、本願の開示する技術の実施形態について説明したが、本願の開示する技術は、上記に限定されるものではない。
【００４５】
例えば、上記実施形態においては、小便器本体１０に固定される中継部材６０に規制部６３が設けられることとしたが、本発明はこれに限らず、例えば規制部６３を有する部材が壁面Ｗに固定されることとしてもよく、また、規制部６３を小便器本体１０に一体的に形成してもよい。
【００４６】
また、本実施形態においては、給水管入口と給水ホース２１とを接続する給水管接続部５０を設けることとしたが、本発明はこれに限らず、給水ホース２１を給水管入口に直接接続できる構成としてもよい。
【００４７】
前述した各実施の形態が備える各要素は、技術的に可能な限りにおいて組み合わせることができ、これらを組み合わせたものも本発明の特徴を含む限り本発明の範囲に包含される。
【符号の説明】
【００４８】
１        小便器装置
３        排水ソケット
５        ハンガー部
１０      小便器本体
１１      ボウル部
１２      ユニット収容部
１３      側壁部
１４      吐水装置
１４ａ    人体検知センサ
１４ｂ    センサ側ハーネス
１５      ホース収納部
１５ａ    載置面
１５ｂ    取付穴
１５ｃ    上端部
１７      排水口
２１      給水ホース
２２      洗浄ホース
３１      制御ユニット
３１ａ    制御側ハーネス
３２      バルブユニット
３３      除菌水供給ユニット
３４      除菌水供給ホース
５０      給水管接続部
６０      中継部材
６０ａ    垂下部
６０ｂ    鍔部
６１      ネジ穴
６２      区分部
６３      規制部
６４      第１保持部（保持部）
６５      第２保持部
６６      凹部
６８      コネクタ収納部
６９      カバー部
８０      コネクタ
Ｗ        壁面
【図１】
2018100573.tif 000003
【図２】
2018100573.tif 000004
【図３】
2018100573.tif 000005
【図４】
2018100573.tif 000006
【図５】
2018100573.tif 000007
【図６】
2018100573.tif 000008
【図７】
2018100573.tif 000009
【図８】
2018100573.tif 000010